(57)【特許請求の範囲】
【請求項１】
互いに嵌合することで接続される嵌合部を有する一方のコネクタ及び他方のコネクタを備え、前記一方のコネクタの前記嵌合部及び他方のコネクタの前記嵌合部同士を嵌合することで、前記一方のコネクタ及び他方のコネクタがそれぞれ有する互いの流路を連通させるコネクタ装置であって、
前記一方のコネクタの前記嵌合部及び前記他方のコネクタの前記嵌合部はいずれも耐熱性を有し、
前記一方のコネクタの前記嵌合部及び前記他方のコネクタの前記嵌合部を加熱する加熱手段を備え、
前記一方のコネクタ及び他方のコネクタには、各々の前記流路を閉塞開放可能な弁が前記嵌合部にそれぞれ隣接して設置されていると共に、前記一方のコネクタの前記嵌合部及び前記他方のコネクタの前記嵌合部を前記加熱手段で加熱して嵌合する段階で熱を避けた持ち手として機能する把持部が前記弁の前記嵌合部とは反対側にそれぞれ設置され、
前記弁は、中心に流通孔を有するボールと、前記ボールの前記流通孔の向きに合わせて該ボールに取り付けられたレバーを具備し、前記レバーの回動操作により該レバーを前記流路に沿わせることで該流路が開放された状態となるボール弁であるコネクタ装置。
【請求項２】
前記一方のコネクタ及び他方のコネクタのうちのいずれか一方のコネクタの前記嵌合部がメス型嵌合部として形成され、前記一方のコネクタ及び他方のコネクタのうちのいずれか他方のコネクタの前記嵌合部がオス型嵌合部として形成され、前記メス型嵌合部にシリンジを直接嵌合可能とした請求項１に記載のコネクタ装置。
【請求項３】
前記加熱手段は、前記一方のコネクタの前記嵌合部及び前記他方のコネクタの前記嵌合部を炙るバーナである請求項１又は２に記載のコネクタ装置。
【請求項４】
前記加熱手段は、前記一方のコネクタの前記嵌合部及び前記他方のコネクタの前記嵌合部を包んで加熱するシート状のヒータである請求項１又は２に記載のコネクタ装置。
【請求項５】
前記加熱手段は、前記一方のコネクタの前記嵌合部及び前記他方のコネクタの前記嵌合部のうちの少なくともいずれかのコネクタの嵌合部に配置される電熱線であり、前記一方のコネクタ及び前記他方のコネクタの各嵌合部同士を嵌合する段階で前記電熱線に通電が成される請求項１又は２に記載のコネクタ装置。
【請求項６】
前記一方のコネクタの前記嵌合部及び他方のコネクタの前記嵌合部同士の嵌合状態を維持するロック機構を備えている請求項１〜５のいずれか１つの項に記載のコネクタ装置。
【発明の詳細な説明】
【技術分野】
【０００１】
本発明は、微生物、動物細胞の各培養現場や、医薬品の生産現場において、例えば、培養槽側のチューブと、培地タンク側のチューブとを無菌的に接続するのに用いられるコネクタ装置に関するものである。
【背景技術】
【０００２】
従来のコネクタ装置としては、例えば、特許文献１に記載されたものがある。
このコネクタ装置は、互に嵌合するハウジングを有する第１コネクタ及び第２コネクタを備えている。
【０００３】
第１コネクタは、流路を有しており、第２コネクタ側の端部に第１ハウジングが形成されている。この第１ハウジングの内部には、第２コネクタ側を向く第１開口部が形成されており、この第１開口部をバルブで覆うことで第１開口部内の無菌状態が確保されている。
【０００４】
一方、第２コネクタは、流路を有するステムを具備しており、このステムの第１コネクタ側の端部に第２ハウジングが軸方向に移動可能に嵌め込まれている。この第２ハウジングの内部には、第１コネクタ側を向く第２開口部が形成されており、この第２開口部をバルブで覆うことで第２開口部内も無菌状態が確保されている。
【０００５】
このコネクタ装置では、第１コネクタ及び第２コネクタを互いに接続させる場合、まず、第１ハウジング及び第２ハウジングを嵌合させて各々の開口部を覆うバルブ同士を密接させる。このとき、第１コネクタ及び第２コネクタの各ハウジングの開口部はバルブで閉ざされたままなので、第１開口部及び第２開口部の各内部はいずれも無菌状態に保たれ、第２コネクタにおける第２ハウジングの第２開口部内に位置しているステムの第１コネクタ側の端部も無菌状態に保たれる。
【０００６】
次いで、第２コネクタにおけるステムを第１コネクタ側に移動させると、ステムの第１コネクタ側の端部が、第２ハウジングの開口部を覆うバルブ及び第１ハウジングの開口部を覆うバルブを順次突き破って第１ハウジングの開口部に進入するので、第１コネクタ及び第２コネクタのステムの各流路同士が第１ハウジングの内部で連通することとなる。
【０００７】
つまり、このコネクタ装置では、無菌状態が確保された第２ハウジングの開口部から、同じく無菌状態が確保された第１ハウジングの開口部内に、第２コネクタにおけるステムの第１コネクタ側の端部を移動させるので、無菌状態が保たれたまま第１コネクタ及び第２コネクタの各流路の接続が成されることとなる。
【先行技術文献】
【特許文献】
【０００８】
【特許文献１】特開2013-050212号公報
【発明の概要】
【発明が解決しようとする課題】
【０００９】
上記した従来のコネクタ装置では、その第１コネクタ及び第２コネクタ同士を無菌的に接続することができるものの、通常１回しか使用することができないので、例えば、培養槽に対する培地タンクや薬液タンク等のタンク類の分離や接続が複数回想定される場合には、この想定される回数分のコネクタ装置を培養槽側にあらかじめ接続しておく必要がある。
【００１０】
したがって、構造が複雑な大型のコネクタ装置を培養槽側に複数接続する分だけ、コスト高を招くと共に、培養槽の周囲にコネクタ装置のための空間を確保する必要があるという問題を有しており、これらの問題を解決することが従来の課題となっていた。
【００１１】
本発明は、上記した従来の課題に着目してなされたもので、回数を重ねて使用しても常に無菌的に接続することができ、その結果、コストの低減及び培養槽周りの省スペース化を実現することが可能であるコネクタ装置を提供することを目的としている。
【課題を解決するための手段】
【００１２】
本発明の第１の態様は、互いに嵌合することで接続される嵌合部を有する一方のコネクタ及び他方のコネクタを備え、前記一方のコネクタの前記嵌合部及び他方のコネクタの前記嵌合部同士を嵌合することで、前記一方のコネクタ及び他方のコネクタがそれぞれ有する互いの流路を連通させるコネクタ装置であって、前記一方のコネクタの前記嵌合部及び前記他方のコネクタの前記嵌合部はいずれも耐熱性を有し、前記一方のコネクタの前記嵌合部及び前記他方のコネクタの前記嵌合部を加熱する加熱手段を備え、前記一方のコネクタ及び他方のコネクタには、各々の前記流路を閉塞開放可能な弁が前記嵌合部にそれぞれ隣接して設置されていると共に、前記一方のコネクタの前記嵌合部及び前記他方のコネクタの前記嵌合部を前記加熱手段で加熱して嵌合する段階で熱を避けた持ち手として機能する把持部が前記弁の前記嵌合部とは反対側にそれぞれ設置され、前記弁は、中心に流通孔を有するボールと、前記ボールの前記流通孔の向きに合わせて該ボールに取り付けられたレバーを具備し、前記レバーの回動操作により該レバーを前記流路に沿わせることで該流路が開放された状態となるボール弁である構成としている。
【００１３】
本発明の第２の態様は、前記一方のコネクタ及び他方のコネクタのうちのいずれか一方のコネクタの前記嵌合部がメス型嵌合部として形成され、前記一方のコネクタ及び他方のコネクタのうちのいずれか他方のコネクタの前記嵌合部がオス型嵌合部として形成され、前記メス型嵌合部にシリンジを直接嵌合可能とした構成としている。
【００１４】
本発明の第３の態様において、前記加熱手段は、前記一方のコネクタの前記嵌合部及び前記他方のコネクタの前記嵌合部を炙るバーナである構成としている。
【００１５】
本発明の第４の態様において、前記加熱手段は、前記一方のコネクタの前記嵌合部及び前記他方のコネクタの前記嵌合部を包んで加熱するシート状のヒータである構成とし、本発明の第５の態様において、前記加熱手段は、前記一方のコネクタの前記嵌合部及び前記他方のコネクタの前記嵌合部のうちの少なくともいずれかのコネクタの嵌合部に配置される電熱線であり、前記一方のコネクタ及び前記他方のコネクタの各嵌合部同士を嵌合する段階で前記電熱線に通電が成される構成としている。
【００１６】
本発明の第６の態様は、前記一方のコネクタの前記嵌合部及び他方のコネクタの前記嵌合部同士の嵌合状態を維持するロック機構を備えている構成としている。
【発明の効果】
【００１８】
本発明によれば、回数を重ねて使用しても常に無菌的に接続することができ、例えば、培養槽に対する培地タンクや薬液タンク等のタンク類の分離や接続が複数回想定される場合に、コストの低減及び培養槽周りの省スペース化を実現することが可能であるという非常に優れた効果がもたらされる。
【図面の簡単な説明】
【００１９】
【図１】本発明に係るコネクタ装置の一実施例を示すメス型コネクタ及びオス型コネクタの接続前の断面説明図（ａ），両コネクタが互いに接続した後の部分断面説明図（ｂ）である。
【図２】本発明に係るコネクタ装置の他の実施例を示す接続前のメス型コネクタ及びオス型コネクタの各嵌合部をシート状のヒータで加熱している状態の部分側面説明図である。
【図３】本発明に係るコネクタ装置のさらに他の実施例を示すメス型コネクタ及びオス型コネクタの接続前の部分側面説明図である。
【図４】本発明に係るコネクタ装置のさらに他の実施例を示すメス型コネクタ及びオス型コネクタの接続前の部分断面説明図（ａ），両コネクタが互いに接続した後の部分断面説明図（ｂ）である。
【図５】本発明に係るコネクタ装置の一参考例を示す弁の部分断面説明図（ａ），（ｂ）である。
【図６】図１のコネクタ装置における把持部の他の構成例を示すメス型コネクタの部分側面説明図（ａ），（ｂ）である。
【発明を実施するための形態】
【００２０】
以下、本発明を図面に基づいて説明する。
図１は、本発明の一実施例に係るコネクタ装置を示している。
【００２１】
図１（ａ）に示すように、このコネクタ装置１は、例えば、培養槽側のチューブと、培地タンク側のチューブとを無菌的に接続するのに用いられるコネクタ装置であって、一方のコネクタであるメス型コネクタ２と、他方のコネクタであるオス型コネクタ４と、加熱手段としてのバーナ６を備えている。メス型コネクタ２及びオス型コネクタ４は、いずれも耐熱性を有する材料から成り、２００°程度の加熱で変形することがなく、且つ、培養物に影響を及ぼさない材料、例えば、ＳＵＳやアルミニウムから成っている。
【００２２】
メス型コネクタ２は、流路２１ａを有するステム２１を具備している。このステム２１の一方の端部（図示右端部）は漏斗状端部（メス型嵌合部）２１ｂとして形成してあり、この漏斗状端部２１ｂには、図示しないシリンジを直接接続することができるようになっている。他方の端部はラチェットロック機能付きのチューブ接続部２１ｃとして形成してあり、例えば、図示しない培養槽側のチューブが接続されるようになっている。なお、このチューブ接続部２１ｃは、図示例の形状に限定されるものではなく、培地槽に直接接続されるような形状を成していてもよい。
【００２３】
ステム２１の中央部２１ｄにはボール弁２２が配置してある。このボール弁２２は、レバー２３の図示矢印方向の回動操作によりボール２４の中心に有する流通孔２４ａを流路２１ａに沿わせることで、閉塞状態にある流路２１ａを開放するようになっている。この際、レバー２３をボール２４の流通孔２４ａの向きに合わせてボール２４に取り付けることで、流通孔２４ａの向き（流路２１ａの開閉状態）を容易に認識することができるようにしている。
【００２４】
また、ステム２１の中央部２１ｄにおける漏斗状端部２１ｂから離れた部位、すなわち、チューブ接続部２１ｃの近傍には、底部２６を有する薄型の円筒体（把持部）２５がステム２１と同軸に配置してある。このように、円筒体２５の周壁部分はステム２１からも離れているので、後述するメス型コネクタ２及びオス型コネクタ４を互いに接続する際の漏斗状端部２１ｂの加熱時には、漏斗状端部２１ｂからの熱が伝わり難く、その分だけ熱を避けた持ち手として機能するようになっている。
【００２５】
一方、オス型コネクタ４は、流路４１ａを有するステム４１を具備している。このステム４１の一方の端部（図示左端部）は尖頭状端部（オス型嵌合部）４１ｂとして形成してある。このステム４１の他方の端部はラチェットロック機能付きのチューブ接続部４１ｃとして形成してあり、例えば、図示しない培地タンク側のチューブが接続されるようになっている。なお、このチューブ接続部４１ｃも、図示例の形状に限定されるものではなく、培地タンクに直接接続されるような形状を成していてもよい。
【００２６】
ステム４１の中央部４１ｄにはボール弁４２が配置してある。このボール弁４２は、レバー４３の図示矢印方向の回動操作によりボール４４の中心に有する流通孔４４ａを流路４１ａに沿わせることで、閉塞状態にある流路４１ａを開放するようになっている。この際も、レバー４３をボール４４の流通孔４４ａの向きに合わせてボール４４に取り付けることで、流通孔４４ａの向き（流路４１ａの開閉状態）を容易に認識することができるようにしている。
【００２７】
また、ステム４１の中央部４１ｄにおける尖頭状端部４１ｂから離れた部位、すなわち、チューブ接続部４１ｃの近傍には、底部４７を有する薄型の円筒体（把持部）４５がステム４１と同軸に配置してある。この円筒体４５の周壁部分もステム４１から離れているので、後述するメス型コネクタ２及びオス型コネクタ４を互いに接続する際の尖頭状端部４１ｂの加熱時には、尖頭状端部４１ｂからの熱が伝わり難く、その分だけ熱を避けた持ち手として機能するようになっている。
【００２８】
この実施例に係るコネクタ装置１において、培養槽側のチューブに接続されたメス型コネクタ２と、培地タンク側のチューブに接続されたオス型コネクタ４とを接続させる場合、メス型コネクタ２及びオス型コネクタ４の各ボール弁２２，４２におけるレバー２３，４３の位置により、各流路２１ａ，４１ａが閉塞されていることを確認したうえで、あらかじめ、例えば、オートクレーブによりメス型コネクタ２及びオス型コネクタ４の殺菌を行っておく。
【００２９】
この際、ボール弁２２，４２でメス型コネクタ２及びオス型コネクタ４の各流路２１ａ，４１ａを閉塞している限りにおいて、培養槽及び培地タンクへの道筋はすべて密封されるので、無菌状態が確保される。
【００３０】
次いで、メス型コネクタ２及びオス型コネクタ４の各円筒体２５，４５をそれぞれ持って、メス型コネクタ２の漏斗状端部２１ｂ及びオス型コネクタ４の尖頭状端部４１ｂをバーナ６の火炎Ｆで炙ってそれぞれ加熱しつつ、両端部２１ｂ，４１ｂを互いに嵌合する。なお、バーナ６の火炎Ｆによる加熱に先立って、必要に応じて両端部２１ｂ，４１ｂに、例えば、７０％エタノールを噴霧してもよい。
【００３１】
このとき、メス型コネクタ２の漏斗状端部２１ｂ及びオス型コネクタ４の尖頭状端部４１ｂは、２００°程度の加熱では変形しないので、バーナ６の火炎Ｆによる加熱で漏斗状端部２１ｂ及び尖頭状端部４１ｂの殺菌が成され、加えて、各円筒体２５，４５が熱を避けた持ち手として機能するので、各円筒体２５，４５をそれぞれ持って漏斗状端部２１ｂ及び尖頭状端部４１ｂを互いに押圧し合うように嵌合させれば、無菌性を確保したままの接続が成されることとなる。
【００３２】
そして、メス型コネクタ２及びオス型コネクタ４における各ボール弁２２，４２のレバー２３，４３の図示矢印方向の回動操作によって、図１（ｂ）に示すように、各流通孔２４ａ，４４ａを流路２１ａ，４１ａにそれぞれ沿わせて流路２１ａ，４１ａを開放すると、メス型コネクタ２及びオス型コネクタ４の各流路２１ａ，４１ａ同士が連通することとなる。
【００３３】
一方、このコネクタ装置１において、培養槽側のチューブに接続されたメス型コネクタ２と、培地タンク側のチューブに接続されたオス型コネクタ４とを分離する場合には、メス型コネクタ２及びオス型コネクタ４における各ボール弁２２，４２のレバー２３，４３の図示矢印方向とは反対方向の回動操作により、流路２１ａ，４１ａに対して各流通孔２４ａ，４４ａをそれぞれ交差させて流路２１ａ，４１ａを閉塞する。
【００３４】
この状態において、メス型コネクタ２及びオス型コネクタ４の各流路２１ａ，４１ａは互いに遮断されているので、各円筒体２５，４５をそれぞれ持って漏斗状端部２１ｂ及び尖頭状端部４１ｂを互いに離間させれば、培養槽側のチューブに接続されたメス型コネクタ２と、培地タンク側のチューブに接続されたオス型コネクタ４とを分離し得ることとなる。
【００３５】
ここで、培養槽側のチューブに接続されたメス型コネクタ２に、例えば、薬液タンク側のチューブに接続された他のコネクタ装置１のオス型コネクタ４を接続させる場合には、培地タンクとの接続と同様に、メス型コネクタ２及びオス型コネクタ４の各流路２１ａ，４１ａが閉塞されていることを確認したうえで、オートクレーブによりメス型コネクタ２及びオス型コネクタ４の殺菌を行う。
【００３６】
この際も、ボール弁２２，４２でメス型コネクタ２及びオス型コネクタ４の各流路２１ａ，４１ａを閉塞している限りにおいて、培養槽及び薬液タンクへの道筋はすべて密封されるので、無菌状態が確保される。
【００３７】
次いで、メス型コネクタ２及びオス型コネクタ４の各円筒体２５，４５をそれぞれ持って、メス型コネクタ２の漏斗状端部２１ｂ及びオス型コネクタ４の尖頭状端部４１ｂをバーナ６の火炎Ｆで炙ってそれぞれ加熱しつつ、両端部２１ｂ，４１ｂを互いに嵌合する。この場合も、バーナ６の火炎Ｆによる加熱に先立って、必要に応じて両端部２１ｂ，４１ｂに、例えば、７０％エタノールを噴霧してもよい。
【００３８】
このとき、バーナ６の火炎Ｆによる加熱で漏斗状端部２１ｂ及び尖頭状端部４１ｂの殺菌が成されるので、熱を避けた持ち手として機能する各円筒体２５，４５をそれぞれ持って漏斗状端部２１ｂ及び尖頭状端部４１ｂを互いに押圧し合うように嵌合させることで、無菌性を確保したままの接続が成されることとなり、メス型コネクタ２及びオス型コネクタ４における各ボール弁２２，４２のレバー２３，４３の図示矢印方向の回動操作によって流路２１ａ，４１ａを開放すると、メス型コネクタ２及びオス型コネクタ４の各流路２１ａ，４１ａ同士が連通することとなる。
【００３９】
上記したように、このコネクタ装置１では、メス型コネクタ２の漏斗状端部２１ｂ及びオス型コネクタ４の尖頭状端部４１ｂをバーナ６の火炎Ｆでそれぞれ加熱することで、無菌性を確保するようにしているので、回数を重ねて使用してもメス型コネクタ２及びオス型コネクタ４を無菌的に接続し得ることとなる。
【００４０】
つまり、例えば、培養槽に対する培地タンクや薬液タンク等のタンク類の分離や接続が複数回想定される場合であったとしても、想定される回数分のコネクタ装置１を培養槽側にあらかじめ接続しておく必要がなく、したがって、使用するコネクタ装置１の数が必要最小限で済む分だけ、コストの低減及び培養槽回りの省スペース化を実現し得ることとなる。
【００４１】
また、このコネクタ装置１では、メス型コネクタ２の漏斗状端部２１ｂにシリンジを直接嵌合可能としているので、例えば、メス型コネクタ２側に対してシリンジから直接的な薬液の注入を行い得ることとなる。
【００４２】
さらに、このコネクタ装置１において、ステム２１，４１に弁としてのボール弁２２，４２を配置したうえで、レバー２３，４３を流通孔２４ａ，４４ａの向きに合わせてボール２４，４４に取り付けるようにしているので、構造がシンプルな分だけ、操作がし易いうえ、流路２１ａ，４１ａの開閉状態を容易に認識し得ることとなる。
【００４３】
図２は、本発明の他の実施例に係るコネクタ装置を示している。図２に示すように、このコネクタ装置１Ａは、加熱手段としてのシート状のヒータ７を備えており、他の構成は先の実施例に係るコネクタ装置１と同じである。この場合、シート状のヒータ７は、ヒータ本体７ａと、電源７ｂと、スイッチ７ｃを具備しており、メス型コネクタ２Ａの漏斗状端部２１ｂ及びオス型コネクタ４Ａの尖頭状端部４１ｂをヒータ本体７ａで包んでスイッチ７ｃをオン状態とすることで、両端部２１ｂ，４１ｂを加熱するようになっている。
【００４４】
このコネクタ装置１Ａでは、メス型コネクタ２Ａの漏斗状端部２１ｂ及びオス型コネクタ４Ａの尖頭状端部４１ｂを加熱するのにバーナ６の火炎Ｆを用いなくて済むので、安全性の向上が図られることとなる。
【００４５】
図３は、本発明のさらに他の実施例に係るコネクタ装置を示している。図３に示すように、このコネクタ装置１Ｂは、メス型コネクタ２Ｂの漏斗状端部２１ｂの外周面に沿って絶縁コーティングを介して巻き付けた加熱手段としての電熱線８を備えている。このコネクタ装置１Ｂでは、メス型コネクタ２Ｂの漏斗状端部２１ｂ及びオス型コネクタ４Ｂの尖頭状端部４１ｂを互いに嵌合させる際に、電熱線８の端子８ａとオス型コネクタ４Ｂ側に配置したリード線１８の端子１８ａとを互いに接続させることで、電熱線８に電源８ｂから通電が成されるようにしている。
【００４６】
このコネクタ装置１Ｂでは、メス型コネクタ２Ｂの漏斗状端部２１ｂ及びオス型コネクタ４Ｂの尖頭状端部４１ｂを加熱するのにバーナ６の火炎Ｆを用いなくて済むので、安全性の向上が図られることとなり、加えて、メス型コネクタ２Ｂの漏斗状端部２１ｂに加熱手段としての電熱線８を一体で備えているので、より簡便性に優れたものとなる。
【００４７】
図４は、本発明のさらに他の実施例に係るコネクタ装置を示している。このコネクタ装置１Ｃはロック機構を備えている。このロック機構は、図４（ａ）に示すように、オス型コネクタ４Ｃの尖頭状端部４１ｂを囲むようにして配置されてステム４１に形成された環状溝４１ｅに回転自在に支持される回転筒４６と、この回転筒４６の内周壁に形成された雌ねじ部４６ｆと、メス型コネクタ２Ｃの漏斗状端部２１ｂの周縁部に形成されてオス型コネクタ４Ｃ側の雌ねじ部４６ｆと噛み合う外向き環状凸部２１ｆを具備している。
【００４８】
このコネクタ装置１Ｃでは、メス型コネクタ２Ｃの漏斗状端部２１ｂ及びオス型コネクタ４Ｃの尖頭状端部４１ｂを互いに嵌合させる際に、メス型コネクタ２Ｃの漏斗状端部２１ｂの外向き環状凸部２１ｆをオス型コネクタ４Ｃ側の雌ねじ部４６ｆに噛み合わせて回転筒４６をステム４１の環状溝４１ｅ回りに回転させると、図４（ｂ）に示すように、メス型コネクタ２Ｃ及びオス型コネクタ４Ｃの相互の軸方向の動きが規制されることから、メス型コネクタ２Ｃの漏斗状端部２１ｂ及びオス型コネクタ４Ｃの尖頭状端部４１ｂ同士の嵌合状態が維持されることとなり、両コネクタ２Ｃ，４Ｃが不意に離間するといった事態の発生が回避されることとなる。
【００４９】
本発明に係るコネクタ装置の一参考例として、例えば、流路２１ａを閉塞開放可能な弁として、図５（ａ）に示すスライド弁２２Ａを採用したり、図５（ｂ）に示すバタフライ弁２２Ｂを採用したりすることができる。
【００５０】
図５（ａ）に示すスライド弁２２Ａは、径方向に貫通する流通孔２４ｂを有するスライドピン２４Ａを具備しており、このスライドピン２４Ａをストッパ２４ｃで規制されるまでステム２１に対して径方向に移動させて、流通孔２４ｂを流路２１ａに沿わせることで、流路２１ａを開放する。
【００５１】
一方、図５（ｂ）に示すバタフライ弁２２Ｂは、流路２１ａと同径の弁体２４Ｂを具備しており、この弁体２４Ｂをレバー２３Ｂの回動操作により流路２１ａに沿わせることで、流路２１ａを開放する。
【００５２】
また、本発明に係るコネクタ装置の他の構成として、例えば、図６（ａ）に示すように、底部２６を有する薄型の円筒体２５とは反対方向を向く円筒体２５Ａを把持部として採用したり、図６（ｂ）に示すように、ステム２１にリング２７を介して取り付けられる把持レバー２５Ｂを把持部として採用したりすることができる。
【符号の説明】
【００５３】
１，１Ａ，１Ｂ，１Ｃ    コネクタ装置
２，２Ａ，２Ｂ，２Ｃ    メス型コネクタ（一方のコネクタ）
４，４Ａ，４Ｂ，４Ｃ    オス型コネクタ（他方のコネクタ）
６                      バーナ（加熱手段）
７                      シート状のヒータ（加熱手段）
８                      電熱線（加熱手段）
２１ａ，４１ａ          流路
２１ｂ                  漏斗状端部（メス型嵌合部）
２１ｆ                  外向き環状凸部（ロック機構）
２２，４２              ボール弁
２３，４３              ボール弁のレバー
２４ａ，４４ａ          ボール弁の流通孔
２５，２５Ａ，４５      円筒体（把持部）
２５Ｂ                  把持レバー（把持部）
４１ｂ                  尖頭状端部（オス型嵌合部）
４６                    回転筒（ロック機構）
４６ｆ                  雌ねじ部（ロック機構）
【図１】
0006478010.tif 000002
【図２】
0006478010.tif 000003
【図３】
0006478010.tif 000004
【図４】
0006478010.tif 000005
【図５】
0006478010.tif 000006
【図６】
0006478010.tif 000007